(57)【要約】      （修正有）【課題】軸保護部内部に外部からの水分浸入を防止できるとともに、蛇腹形態の軸保護部の伸縮可動軸への巻付きをも防止できる位置検出器の防水構造を提供する。【解決手段】位置検出器１０の防水構造５は、伸縮可動軸１を有する位置検出器１０における防水構造であって、伸縮可動軸１を被覆保護する蛇腹形態の軸保護部と、伸縮可動軸１の伸縮に伴う外気の吸排気を行なうブリーザパイプ３を備え、ブリーザパイプ３には、水分吸収を遮断する一方気体は流通させるベントフィルタ４が備えられている。【選択図】図１
2019184398.tif 000002
【特許請求の範囲】
【請求項１】
伸縮可動軸を有する位置検出器の防水構造であって、該伸縮可動軸を被覆保護する軸保護部と、該伸縮可動軸の伸縮に伴う外気の吸排気を行なうブリーザパイプを備え、該ブリーザパイプには水分吸収を遮断する一方気体は流通させるベントフィルタが備えられていることを特徴とする、位置検出器の防水構造。
【請求項２】
請求項１に記載の防水構造を備えていることを特徴とする、位置検出器。
【発明の詳細な説明】
【技術分野】
【０００１】
本発明は位置検出器、およびその防水構造に係り、特に、鉄鋼分野等で用いられるリニア方向のストロークを検出するための伸縮可動軸を備えた位置検出器の防水技術に関する。
【背景技術】
【０００２】
加熱炉内での鋼材搬送装置等における用途など、ストローク検出器は、水平方向動作制御用のリニア方向のストローク検出に用いられ、特に多湿環境、蒸気発生環境や、高温・多塵埃環境での位置検出に用いられている。ストローク検出器では、ボールねじにより伸縮可動する軸の伸縮量が、回転量に変換されて検出される。
【０００３】
図５は、従来のストローク検出器の構成例を示す半断面図である。図示するように従来のストローク検出器５１０では、ボールねじ５６を利用し、伸縮可動する軸（伸縮可動軸）５１の伸縮量が角度センサ５７において回転量に変換される。伸縮可動軸５１は蛇腹形態の軸保護部５２により被覆され、保護されている。伸縮可動軸５１が伸縮する際に軸保護部５２の内部体積が変化するため、ブリーザパイプ５３が設けられている。ブリーザパイプ５３により外気が吸排されるため、軸保護部?５２内の内部体積変化が生じても軸保護部５２が伸縮可動軸５１に密着したり、絡み付いたりすることなく駆動できる。
【０００４】
ストローク検出器については従来、技術的な提案もなされている。たとえば後掲特許文献１には、ウォーキングビーム加熱炉の水平動ストロークを制御する水平動ストローク検出器として、外周ケースの内周面に環状のオイルレスブッシュを設け、その内周面をスライドロッドに当接可能な内径とし、外周ケースの両側に環状のダストシール押えを配置し、その両端の内周面に環状のダストシールを外向きに固定して上記のスライドロッドの外周に当接して取り付けたスライド機構を備えた構成が開示されている。これにより、グリースが供給されなくても潤滑性を有し、スライド機構破損およびストローク不良発生を抑制できるとしている。
【先行技術文献】
【特許文献】
【０００５】
【特許文献１】特開２０１２−１３６７３９号公報「高温多塵埃下における水平動ストローク検出器のスライド機構」
【発明の概要】
【発明が解決しようとする課題】
【０００６】
さて、図５に示した従来のストローク検出器５１０が用いられる環境は多湿環境である。かかる環境下でブリーザパイプ５３による外気の吸排が行なわれることで、必然的に検出器５１０内部に水分が溜まり、腐食を誘発してしまうという問題がある。この問題を解決する手段として、ブリーザパイプ５３を除去する構成がある。
【０００７】
図６は、従来のストローク検出器からブリーザパイプを除去した構成例を示す半断面図である。図示するように本ストローク検出器６１０では、ブリーザパイプに替えて栓６３を設け、これによって外部からの水分吸入（浸入）を防止することができる。しかし、かかる構成では軸保護部６２内部が密閉されてしまうため、伸縮可動軸６１が伸びた際には、蛇腹形態の軸保護部６２が伸縮可動軸６１に密着したり、巻き付いてしまい、駆動に障害を来すという問題が発生してしまう。
【０００８】
そこで本発明が解決しようとする課題は、かかる従来技術の問題点をなくし、軸保護部内部に外部からの水分浸入を防止できるとともに、蛇腹形態の軸保護部の伸縮可動軸への巻付きをも防止できる、位置検出器の防水構造を提供することである。
【課題を解決するための手段】
【０００９】
本願発明者は上記課題について検討した結果、ブリーザパイプにベントフィルタを用いることによって解決できることを見出し、これに基づいて本発明を完成するに至った。すなわち、上記課題を解決するための手段として本願で特許請求される発明、もしくは少なくとも開示される発明は以下の通りである。
【００１０】
〔１〕  伸縮可動軸を有する位置検出器の防水構造であって、該伸縮可動軸を被覆保護する軸保護部と、該伸縮可動軸の伸縮に伴う外気の吸排気を行なうブリーザパイプを備え、該ブリーザパイプには水分吸収を遮断する一方気体は流通させるベントフィルタが備えられていることを特徴とする、位置検出器の防水構造。
〔２〕  〔１〕に記載の防水構造を備えていることを特徴とする、位置検出器。
【発明の効果】
【００１１】
本発明の位置検出器、およびその防水構造は上述のように構成されるため、これらによれば、使用環境が多湿環境であっても、軸保護部内部に外部からの水分浸入を防止できるとともに、蛇腹形態の軸保護部の伸縮可動軸への巻付きをも防止することができる。
【図面の簡単な説明】
【００１２】
【図１】本発明の位置検出器の防水構造を示す要部半断面図である。
【図２】図１中に示した円部の拡大図である。
【図３】図１に示す防水構造を備えた位置検出器の構成を示す半断面図である。
【図４】図５に示す従来のストローク検出器におけるブリーザパイプの構造を示す拡大図である。
【図５】従来のストローク検出器の構成例を示す半断面図である。
【図６】従来のストローク検出器からブリーザパイプを除去した構成例を示す半断面図である。
【発明を実施するための形態】
【００１３】
以下、図面により本発明を詳細に説明する。
図１は、本発明の位置検出器の防水構造を示す要部半断面図である。また、
図２は図１中に示す円部の拡大図、図３は図１に示す防水構造を備えた位置検出器の構成を示す半断面図である。これらに示すように本位置検出器の防水構造５は、伸縮可動軸１を有する位置検出器１０における防水構造であって、伸縮可動軸１を被覆保護する蛇腹形態の軸保護部２と、伸縮可動軸１の伸縮に伴う外気の吸排気を行なうブリーザパイプ３を備え、ブリーザパイプ３には、水分吸収を遮断する一方気体は流通させるベントフィルタ４が備えられていることを、主たる構成とする。
【００１４】
ベントフィルタ４は、通気を確保し、圧力調整機能を保持しつつ密閉容器や構造体を防水・防塵仕様にするフィルタである。自動車用各種センサ、ガスセンサ、液体容器、音響機器用マイク・カバーなど、広範に用いられている。ベントフィルタは、水分を遮断しながら気体を通す構造の多孔質製の膜からなる。本発明では、既に市場に提供されているベントフィルタを、防水構造用として適宜に用いることができる。
【００１５】
かかる構成により本位置検出器の防水構造５においては、ブリーザパイプ３に設けられたベントフィルタ４により、外部からの水分吸収が遮断される一方、気体は流通せしめられる。したがって、軸保護部２内部への水分浸入が有効に防止され、内部の腐食発生が防止される。それとともに、ベントフィルタ４を通して外気の吸排がなされるため、蛇腹形態の軸保護部２内の内部体積が変化しても、軸保護部２が伸縮可動軸１に密着したり巻付いたりすることがない。
【００１６】
図４は、図５に示す従来のストローク検出器におけるブリーザパイプの構造を示す拡大図である。図示するように従来技術では、ブリーザパイプ５３には異物混入防止のための編み目板５８のみが設けられていた。編み目板５８のみでは当然ながら、外部からの水分の浸入は防止できない。ベントフィルタ４を備えたブリーザパイプ３を有する本発明の防水構造５によって、水分浸入を防止することができる。なお、図１等に示さないが、本発明の防水構造５においても編み目板を併用する構成としてもよい。また、以上説明した防水構造５を備えている位置検出器１０自体も、本発明の範囲内である。
【産業上の利用可能性】
【００１７】
本発明の位置検出器、およびその防水構造によれば、使用環境が多湿環境であっても、軸保護部内部に外部からの水分浸入を防止できるとともに、蛇腹形態の軸保護部の伸縮可動軸への巻付きをも防止することができる。したがって、鉄鋼分野など多湿環境用途の位置検出器の製造・使用分野、特にストローク検出器製造・使用分野、および関連する全分野において、産業上利用性が高い発明である。
【符号の説明】
【００１８】
１…伸縮可動軸
２…軸保護部
３…ブリーザパイプ
４…ベントフィルタ
５…位置検出器の防水構造
６…ボールねじ
７…角度センサ
１０…位置検出器
５１、６１…伸縮可動軸
５２、６２…軸保護部
５３…ブリーザパイプ
５６、６６…ボールねじ
５７、６７…角度センサ
５８…編み目板
５１０、６１０…ストローク検出器
６３…栓
【図１】
2019184398.tif 000003
【図２】
2019184398.tif 000004
【図３】
2019184398.tif 000005
【図４】
2019184398.tif 000006
【図５】
2019184398.tif 000007
【図６】
2019184398.tif 000008